(57)【特許請求の範囲】
【請求項１】
パルスジェット形の払い落とし機構を有したバグフィルタの濾布を内側から支持するバグフィルタ用リテーナであって、
前記払い落とし機構のノズル近傍まで延びたリテーナ本体と、
このリテーナ本体の上端部に配設され、かつ、前記リテーナ本体の外周に配設された前記濾布の上端近傍まで下端側が延びたベンチュリ管と、
このベンチュリ管の下端近傍から前記リテーナ本体の長手下方に向かって所定長さ延出するとともに前記ベンチュリ管とは別体に形成された整流手段と、を有し、
前記整流手段は、前記ノズルから前記ベンチュリ管に向かって噴射された圧縮空気を前記リテーナ本体の長手下方および半径方向に供給するとともに、前記圧縮空気の噴射によって前記リテーナ本体外から前記ベンチュリ管へ吸引された空気が前記整流手段の外壁に沿って前記濾布の上端部内面に向かって供給されるように構成されたことを特徴とするバグフィルタ用リテーナ。
【請求項２】
前記ベンチュリ管は、中間部の直径よりも下端の直径が大きく形成される、
請求項１に記載のバグフィルタ用リテーナ。
【請求項３】
前記ベンチュリ管の下端の直径は、前記整流手段の上端の直径よりも大きく形成されたことを特徴とする請求項１又は２に記載のバグフィルタ用リテーナ。
【請求項４】
前記整流手段の上端は、前記ベンチュリ管の下端より上方へ入り込んでいることを特徴とする請求項１〜３のいずれか１項に記載のバグフィルタ用リテーナ。
【請求項５】
前記整流手段の上端の直径をＤ１、前記ベンチュリ管の前記中間部の直径をＤ２としたとき、
（Ｄ２）／３≦Ｄ１
を満たすことを特徴とする請求項１〜４のいずれか１項に記載のバグフィルタ用リテーナ。
【発明の詳細な説明】
【技術分野】
【０００１】
本発明は、集塵機であるバグフィルタの濾布を内側から支持するバグフィルタ用リテーナに関するものである。
【背景技術】
【０００２】
従来、バグフィルタとして、含塵気流を通過させて粉塵を分離捕集する濾布と、濾布の形状を保持するため濾布を内側から支持するリテーナ本体と、を備えたものが用いられている。集塵機を運転すると、濾布は粉塵を捕集して運転時間の経過とともに吸引力の損失が大きくなるので、捕集した粉塵を間欠的に又は連続的に払い落とす必要がある。
【０００３】
例えば、この濾布で捕集した粉塵を払い落とすために、パルスジェット形の払い落とし機構をバグフィルタに備えたものが知られている。しかし、この払い落とし機構で粉塵を払い落とす際に、濾布の上端部側では、集塵時のブロアによる吸引負圧に抗してリテーナ本体の内部を十分な正圧にできず、濾布の上端部側で粉塵を払い落とせないという問題が発生していた。これを解決する技術として、図６に示すような構成が提案されている（例えば、特許文献１参照）。
【０００４】
以下、図６を参照しながら説明する。図６において、外周に濾布１２５が配設されたバグフィルタ用リテーナ１１０のリテーナ本体１２０の上端側の中心部に内挿され、長手方向の上端部に上端に向かって収縮して形成された上端収縮部１４０ａと、長手方向の下端部に下端に向かって収縮し上端収縮部１４０ａとの間に円柱状の胴部１４０ｂを挟んで形成された下端収縮部１４０ｃと、を備えたリテーナ用コーン１４０が配設された構成である。
【先行技術文献】
【特許文献】
【０００５】
【特許文献１】特開２００８−４９３４１号公報
【発明の概要】
【発明が解決しようとする課題】
【０００６】
上記特許文献１の図６に記載された構成は、パルスジェット形の払い落とし機構１７０のノズル１７０ａから噴射される圧縮空気の一部をリテーナ本体１２０の半径方向に分散させ、リテーナ本体１２０の上端側に負圧が発生することを防止し、リテーナ本体１２０の上端側を含む濾布１２５全体を外方に膨らませ、濾布１２５に付着した粉塵を払い落とすことを狙ったものである。
【０００７】
すなわち、図７に示すように、濾布１２５に多くの粉塵が付着した結果、バグフィルタの入口（図示せず）の圧力Ｐ１と出口の圧力Ｐ２との差圧ΔＰが所定の閾値を超えてしまった時、図７のｂに示すタイミングでパルスジェット形の払い落とし機構１７０のノズル１７０ａから圧縮空気を噴射され、濾布１２５に付着した粉塵を払い落とす。しかし、リテーナ用コーン１４０を設けたことにより、パルスジェット形の払い落とし機構１７０のノズル１７０ａから噴射された圧縮空気がリテーナ本体１２０の長手下方に十分供給されなくなり（図６のイを参照）、濾布１２５に付着した粉塵を十分に払い落とせず、差圧ΔＰが閾値より僅かに小さくなるだけである（図７を参照）。したがって、図７のｃ、ｄに示すタイミングで頻繁にパルスジェット形の払い落とし機構１７０のノズル１７０ａから圧縮空気を噴射させなければならない。このように頻繁にパルスジェット形の払い落とし機構１７０のノズル１７０ａから圧縮空気を噴射させても、差圧ΔＰが閾値より僅かに小さくなるだけであり（図７を参照）、濾布１２５に付着した粉塵を十分に払い落とせない。したがって、濾布１２５に付着した粉塵を十分に払い落とせないわりに、パルスジェット形の払い落とし機構１７０のノズル１７０ａから頻繁に噴射した圧縮空気で濾布１２５を叩くため、濾布１２５が傷みやすいという問題点を有していた。
【０００８】
本発明の目的は、濾布に付着した粉塵を十分に払い落とせ、かつ、濾布の傷みが発生しにくいバグフィルタ用リテーナを提供することにある。
【課題を解決するための手段】
【０００９】
この目的を達成するために、第１の発明は、
パルスジェット形の払い落とし機構を有したバグフィルタの濾布を内側から支持するバグフィルタ用リテーナであって、
前記払い落とし機構のノズル近傍まで延びたリテーナ本体と、
このリテーナ本体の上端部に配設され、かつ、下端側が前記リテーナ本体の外周に配設された前記濾布の上端近傍まで延びたベンチュリ管と、
このベンチュリ管の下端近傍から前記リテーナ本体の長手下方に向かって所定長さ延出した整流手段と、を有し、
この整流手段は、前記ノズルから前記ベンチュリ管に向かって噴射された圧縮空気を前記リテーナ本体の長手下方および半径方向に供給するとともに、前記圧縮空気の噴射によって前記リテーナ本体外から前記ベンチュリ管へ吸引された空気が前記整流手段の外壁に沿って前記濾布の上端部内面に向かって供給されるように構成されたことを特徴とするバグフィルタ用リテーナである。
【００１０】
第２の発明は、第１の発明において、
前記整流手段は、前記リテーナ本体の長手下方に向かって開いたホーン型の管であることを特徴とする。
【発明の効果】
【００１１】
以上のように、本発明に係るバグフィルタ用リテーナによれば、
払い落とし機構のノズル近傍まで延びたリテーナ本体と、
このリテーナ本体の上端部に配設され、かつ、下端側が前記リテーナ本体の外周に配設された濾布の上端近傍まで延びたベンチュリ管と、
このベンチュリ管の下端近傍から前記リテーナ本体の長手下方に向かって所定長さ延出した整流手段と、を有し、
この整流手段は、前記ノズルから前記ベンチュリ管に向かって噴射された圧縮空気を前記リテーナ本体の長手下方および半径方向に供給するとともに、圧縮空気の噴射によって前記リテーナ本体外から前記ベンチュリ管へ吸引された空気が前記整流手段の外壁に沿って前記濾布の上端部内面に向かって供給されるように構成されているため、以下のような作用効果を奏する。
１）噴射された圧縮空気がリテーナ本体の長手下方および半径方向に供給されるとともに、前記圧縮空気の噴射によって前記リテーナ本体外から前記ベンチュリ管へ吸引された空気が前記整流手段の外壁に沿って前記濾布の上端部内面に向かって供給されるため、一回の噴射で濾布全体に付着した粉塵を払い落とすのに十分な正圧が確保される（後記図３に示すように、一回の噴射で差圧ΔＰが閾値より十分に小さくなる）。
２）また、一回の噴射で濾布全体に付着した粉塵を払い落とせるため、濾布の傷みも発生しにくい。
【図面の簡単な説明】
【００１２】
【図１】本発明の実施の形態に係るバグフィルタ用リテーナの逆洗時の濾布の状態を示す要部模式断面図である。
【図２】図１に示すバグフィルタ用リテーナにおけるベンチュリ管、整流手段とリテーナ本体間の連結状態を説明するための模式斜視図である。
【図３】同バグフィルタ用リテーナを用いた場合の差圧ΔＰの時間的変化を説明するための説明図である。
【図４】図１に示すバグフィルタ用リテーナにおけるベンチュリ管、整流手段とリテーナ本体の寸法を説明するための模式拡大図である。
【図５】本発明に係るバグフィルタ用リテーナの整流手段の変形例を説明する概観図である。
【図６】従来例に係るバグフィルタ用リテーナの逆洗時の濾布の状態を示す要部模式断面図である。
【図７】同バグフィルタ用リテーナを用いた場合の差圧ΔＰの時間的変化を説明するための説明図である。
【発明を実施するための形態】
【００１３】
以下、本発明の一実施形態について、添付図面を参照しながら説明する。
【００１４】
図１は本発明の実施の形態に係るバグフィルタ用リテーナの逆洗時の濾布の状態を示す要部模式断面図、図２は図１に示すバグフィルタ用リテーナにおけるベンチュリ管、整流手段とリテーナ本体間の連結状態を説明するための模式斜視図、図３は同バグフィルタ用リテーナを用いた場合の差圧ΔＰの時間的変化を説明するための説明図、図４は図１に示すバグフィルタ用リテーナにおけるベンチュリ管、整流手段とリテーナ本体の寸法を説明するための模式拡大図である。
【００１５】
図１〜図４において、パルスジェット形の払い落とし機構７０を有したバグフィルタ（図示せず）の濾布２５を内側から支持するバグフィルタ用リテーナ１０であって、払い落とし機構７０のノズル７０ａ近傍まで延びたリテーナ本体２０と、上端４０ａ側がリテーナ本体２０の外延部２０ａを介してリテーナ本体２０の上端部に配設され、かつ、下端４０ｂ側がリテーナ本体２０の外周に配設された濾布２５の上端近傍（天板３０近傍の位置に相当）まで延びたベンチュリ管４０（長さｌ１）と、このベンチュリ管４０の下端４０ｂ近傍からリテーナ本体２０の長手下方に向かって所定長さ（ｌ２）延出した整流手段としてのリテーナ本体２０の長手下方に向かって開いたホーン型の管５０と、を有し、このホーン型の管５０は、ノズル７０ａからベンチュリ管４０に向かって噴射された圧縮空気をリテーナ本体２０の長手下方および半径方向に供給するとともに、前記圧縮空気の噴射によってリテーナ本体２０外からベンチュリ管４０へ吸引された空気がホーン型の管５０の外壁に沿って濾布２５の上端部内面に向かって供給されるように構成されている。
【００１６】
また、ベンチュリ管４０の下端４０ｂとホーン型の管５０の上部外壁とが４本のリム６５により連結され、ホーン型の管５０の下端５０ｂはリテーナ本体２０を束ねる円輪２０ｂに４本のリム６０により連結されている。
【００１７】
図４に示すように、ホーン型の管５０の上端５０ａはベンチュリ管４０の下端４０ｂより上方へΔｌだけ入り込んでいる。また、ベンチュリ管４０の中間部、下端４０ｂの直径をそれぞれＤ２、Ｄ３と定義し、ホーン型の管５０の上端５０ａ、下端５０ｂの直径をそれぞれＤ１、Ｄ４と定義し、リテーナ本体２０を束ねる円輪２０ｂの直径をＤ５と定義する。また、これらの各直径は、下記式（１）、（２）に示す関係を有する。
（Ｄ２）／３  ≦  Ｄ１  ≦  Ｄ３  ―――  式（１）
Ｄ１  ≦  Ｄ４  ≦  Ｄ５  ―――  式（２）
【００１８】
次に、濾布２５に付着した粉塵を払い落とすバグフィルタ用リテーナ１０の逆洗時の動作について、説明する。
【００１９】
図３に示すように、濾布２５に多くの粉塵が付着した結果、バグフィルタの入口（図示せず）の圧力Ｐ１と出口の圧力Ｐ２との差圧ΔＰが所定の閾値を超えた時は、図３のａに示すタイミングでパルスジェット形の払い落とし機構７０のノズル７０ａから圧縮空気を噴射される。この時、噴射された圧縮空気がリテーナ本体２０の長手下方および半径方向に供給されるとともに、前記圧縮空気の噴射によってリテーナ本体２０外からベンチュリ管４０へ吸引された空気がホーン型の管５０の外壁に沿って濾布２５の上端部内面に向かって供給されるため、一回の噴射で濾布２５全体に付着した粉塵を払い落とすのに十分な正圧（例えば、図１のアにベクトルとして表示）が確保される。したがって、一回の噴射で差圧ΔＰが閾値より十分に小さくなる。よって、一回の噴射で濾布２５全体に付着した粉塵を払い落とせるため、払い落とし機構７０のノズル７０ａから噴射される圧縮空気の回数が少なくて済み、濾布２５の傷みも発生しにくい。
【００２０】
本実施形態においては、整流手段としてリテーナ本体２０の長手下方に向かって開いたホーン型の管５０の例について説明したが、必ずしもこれに限定されるものではなく、例えば、図５（ａ）〜（ｆ）に記載したさまざまな形状のものを用いることが可能である。
【００２１】
また、本実施形態においては、リム６０、６５をそれぞれ４本用いる例について説明したが、必ずしもこれに限定されるものではなく、例えば、２本〜３２本程度を使用するのが適当である。
【符号の説明】
【００２２】
１０…バグフィルタ用リテーナ
２０…リテーナ本体
２０ａ…外延部
２０ｂ…円輪
２５…濾布
３０…天板
４０…ベンチュリ管
４０ａ、５０ａ…上端
４０ｂ、５０ｂ…下端
５０…ホーン型の管
６０、６５…リム
７０…払い落とし機構
【図１】
0005426704.tif 000002
【図２】
0005426704.tif 000003
【図３】
0005426704.tif 000004
【図４】
0005426704.tif 000005
【図５】
0005426704.tif 000006
【図６】
0005426704.tif 000007
【図７】
0005426704.tif 000008